(57)【要約】【課題】  被駆動部材が駆動せしめられた状態下で、可変入賞装置内に形成された球通路での遊技球の流動をスムーズにすることが出来る、新規な構造の可変入賞装置を提供することを目的とする。【解決手段】  球通路７２の壁部５６に近接した位置において駆動用ソレノイド８０をその軸方向が球通路７２の壁部５６と平行になるように配設すると共に、それら駆動用ソレノイド８０と球通路７２の間に強磁性材によって形成された遮蔽プレート９８を配設した。【選択図】      図９
2005168914.tif 000002
【特許請求の範囲】
【請求項１】
遊技領域に開口する開口部と、遊技球の流動方向を変化させる被駆動部材と、該被駆動部材を駆動変位せしめる駆動用ソレノイドと、該開口部から入賞した遊技球が通過せしめられる球通路を備えた可変入賞装置において、
前記駆動用ソレノイドの軸方向が前記球通路の壁部と平行になるようにして、該駆動用ソレノイドを該球通路の壁部に近接して配設すると共に、強磁性材によって形成された遮蔽プレートを、該駆動用ソレノイドの該球通路側を覆うようにして該駆動用ソレノイドと該球通路との間に配設したことを特徴とする可変入賞装置。
【請求項２】
前記駆動用ソレノイドとして、導線が巻回されたコイルボビンの軸方向両側に配設されて該コイルボビンの軸方向で対向位置せしめられる一対の軸方向対向壁部と該コイルボビンの径方向外方に位置せしめられて該一対の軸方向対向壁部を連結する連結壁部を備えた強磁性材製のフレームを該コイルボビンに組み付けたものを採用し、該コイルボビンの径方向外方において該連結壁部が位置せしめられていない部分を前記球通路の壁部に対して対向位置せしめると共に、かかるコイルボビンの径方向外方において該連結壁部が位置せしめられていない部分を覆うようにして該遮蔽プレートを配設した請求項１に記載の可変入賞装置。
【請求項３】
前記開口部を通じて外部に開放される凹室が設けられており、該凹室の奥底部分および奥壁部分によって前記球通路が構成されていると共に、該奥壁部分に前記遮蔽プレートが配設されている請求項１又は２に記載の可変入賞装置。
【請求項４】
前記駆動用ソレノイドおよび該駆動用ソレノイドへの通電に基づいて前記被駆動部材を駆動せしめるための駆動力伝達機構が前記凹室の前記奥壁部分に配設されており、それら駆動用ソレノイドおよび駆動力伝達機構の該奥壁部分に直交する方向への投影において、それら駆動用ソレノイドおよび駆動力伝達機構の何れもが該奥壁部分に重なるようにした請求項３に記載の可変入賞装置。
【請求項５】
前記駆動用ソレノイドの軸方向寸法が前記球通路の通路方向長さよりも短くされていると共に、該駆動用ソレノイドの該球通路の通路方向に直交する方向への投影において該駆動用ソレノイドが軸方向全体に亘って該球通路の壁部に重ね合わせられる請求項１乃至４の何れかに記載の可変入賞装置。
【請求項６】
前記球通路を通過する遊技球の前記遮蔽プレートに直交する方向への投影において該球通路を通過する遊技球の中心が該遮蔽プレートに重ね合わさるようにした請求項１乃至５の何れかに記載の可変入賞装置。
【請求項７】
前記被駆動部材が前記開口部を閉鎖可能に配設された閉鎖扉である請求項１乃至６の何れかに記載の可変入賞装置。
【請求項８】
前記被駆動部材が前記球通路を通過する遊技球の通過方向を変更する通過方向変更部材である請求項１乃至６の何れかに記載の可変入賞装置。
【請求項９】
請求項１乃至８の何れかに記載の可変入賞装置を備えたパチンコ機。
【発明の詳細な説明】
【技術分野】
【０００１】
本発明は、遊技領域に開口する開口部から入賞した遊技球が通過せしめられる球通路が設けられていると共に、遊技球の流動方向を変更可能に配設された被駆動部材がソレノイドによって駆動せしめられる可変入賞装置に係り、特に、遊技球が球通路をスムーズに通過することが出来る、新規な構造の可変入賞装置に関するものである。
【背景技術】
【０００２】
従来から、パチンコ機の遊技領域には、通常の遊技において遊技球が入賞可能な普通入賞装置に加えて、通常の遊技においては開口部が閉鎖部材によって閉鎖されて遊技球の入賞が不可能とされている一方、所定の条件が満たされた場合に開口部を閉鎖している閉鎖部材をソレノイドによって駆動変位せしめることで開口部を開放して遊技球の入賞を可能にする可変入賞装置が配設されている。
【０００３】
ところで、このような可変入賞装置の遊技領域への取付方法としては、可変入賞装置を、駆動手段としてのソレノイドと該ソレノイド以外の部分によって構成される可変入賞装置本体とに分割して、ソレノイドと可変入賞装置本体を別体として取り扱い可能にし、先に可変入賞装置本体を遊技領域に取り付けた後、ソレノイドを可変入賞装置本体に取り付けることも考えられるが、可変入賞装置の遊技領域への取付作業を効率良くすることを目的として、可変入賞装置本体とソレノイドが一体的に取り扱い可能になった可変入賞装置が提案されている（例えば、特許文献１等参照）。
【０００４】
そこにおいて、このようにソレノイドと可変入賞装置本体が一体的に取り扱い可能とされた可変入賞装置を採用する場合には、ソレノイドの可変入賞装置本体に対する配設位置として、可変入賞装置本体の開口部の周囲に形成されて可変入賞装置本体を遊技領域に取り付けるための取付板部の裏側と、入賞した遊技球を遊技球検出手段の配設位置まで案内する球通路部の裏側が考えられるが、ソレノイドを取付板部の裏側に配設する場合には、可変入賞装置の遊技領域への取付作業性、延いてはパチンコ機の組立作業性が悪化するという問題がある。
【０００５】
すなわち、可変入賞装置の遊技領域への取付は、遊技領域が形成される遊技板に対して可変入賞装置の球通路部が挿通可能な程度の挿通孔を形成し、かかる挿通孔に可変入賞装置の球通路部を挿通せしめた状態で取付板部をビス等で遊技領域に固定する方法によって行われるのが一般的であるが、ソレノイドを取付板部の裏側に配設する構造の可変入賞装置を遊技領域に取り付ける場合には、遊技板に対して球通路部のみが挿通可能な程度の挿通孔を形成するだけでは、可変入賞装置を遊技板に対してスムーズに取り付けることが困難となるから、球通路部およびソレノイドが挿通可能な挿通孔を遊技板に設ける必要がある。そうすると、遊技板に対して挿通孔を形成するための作業に要する時間が多くなってしまい、パチンコ機の組立作業性に悪影響を与えてしまう。
【０００６】
そこで、ソレノイドを球通路部の裏側に配設した構造の可変入賞装置を採用することが考えられるが、パチンコ機の裏側には、遊技板の裏側に排出された遊技球が集められるバケツやパチンコ機の遊技動作を制御するための制御基板が収容された制御基板ボックス等が配設されていることから、ソレノイドを球通路部の裏側に配設したことに起因する可変入賞装置の裏側への突出量を抑えるべく、ソレノイドを、その軸方向が球通路部の壁部と平行になるようにすると共に、球通路部に近接して配設する必要がある。
【０００７】
しかしながら、このようにソレノイドをその軸方向が球通路の壁部と平行になるようにすると共に球通路に近接して配設すると、可変入賞装置の開口部が開放された状態下において、遊技球が球通路部の特定箇所において停留しまうおそれのあることが、本発明者によって確認された。
【０００８】
このような現象について本発明者が検討したところ、可変入賞装置に入賞した遊技球が球通路部を通過する態様というのは何種類もあり、そのなかでも、ソレノイドへの通電によって開位置に駆動変位せしめられた閉鎖部材に衝突せしめられた後、更に球通路部の側壁に衝突せしめられることで遊技領域を流下していた際の勢いが殆どなくなり、球通路部において一旦停止してから、球通路部を通って遊技球検出手段の配設位置に至る態様であって、特に、二つの遊技球が球通路部において一旦停止してから球通路部を通過する態様において、上述の如き現象が発生することが判った。
【０００９】
そして、本発明者が、一旦停止する遊技球が球通路部において停留されるということについて検討を加えた結果、球通路部において一旦停止してしまう遊技球が影響を受ける程度の磁束が球通路部を通っており、かかる磁束は、ソレノイドへの通電によって生ぜしめられるものであることが判った。また、本発明者が、二つの遊技球が球通路部において停留されるということについて検討を加えた結果、磁束が集中して磁束密度が大きくなるソレノイドの軸方向両端部付近でそれぞれ一旦停止した遊技球同士が接触している場合に、磁束がこれら二つの遊技球を通ってしまい、それによって、二つの遊技球が磁束の影響を受けて球通路部に停留することが判った。
【００１０】
【特許文献１】特開平９−１０３５４７号公報
【発明の開示】
【発明が解決しようとする課題】
【００１１】
ここにおいて、本発明は、上述の如き事情を背景として為されたものであり、その解決課題とするところは、被駆動部材が駆動せしめられた状態下で、球通路での遊技球の流動をスムーズにすることが出来る、新規な構造の可変入賞装置および該可変入賞装置を備えたパチンコ機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することが出来る発明思想に基づいて認識されるものであることが理解されるべきである。
【００１３】
本発明の第一の態様は、遊技領域に開口する開口部と、遊技球の流動方向を変化させる被駆動部材と、該被駆動部材を駆動変位せしめる駆動用ソレノイドと、該開口部から入賞した遊技球が通過せしめられる球通路を備えた可変入賞装置において、前記駆動用ソレノイドの軸方向が前記球通路の壁部と平行になるようにして、該駆動用ソレノイドを該球通路の壁部に近接して配設すると共に、強磁性材によって形成された遮蔽プレートを、該駆動用ソレノイドの該球通路側を覆うようにして該駆動用ソレノイドと該球通路との間に配設したことを、特徴とする。
【００１４】
このような本態様に従う構造とされたパチンコ機においては、球通路の壁部に近接した位置において駆動用ソレノイドをその軸方向が球通路の壁部と平行になるように配設すると共に、強磁性材によって形成された遮蔽プレートを、駆動用ソレノイドの球通路側を覆うようにして駆動用ソレノイドと球通路の間に配設していることから、駆動用ソレノイドへの通電によって生ぜしめられる磁束が遮蔽プレートに集まるようになり、それによって、駆動用ソレノイドへの通電によって生ぜしめられる磁界の磁束密度を遮蔽プレートよりも球通路側において十分に小さくすることが出来る。
【００１５】
それ故、本態様においては、球通路を通過する遊技球が磁束の影響を受け難くすることが可能となり、それによって、可変入賞装置に入賞した複数の遊技球が球通路において一旦停止するようなことがあったとしても、それら一旦停止した遊技球が、その後、スムーズに球通路を通過することが可能となる。
【００１６】
すなわち、駆動用ソレノイドをその軸方向が球通路の壁部と平行になるようにして球通路に近接した位置に配設した可変入賞装置であって、本態様の遮蔽プレートが配設されていないものにおいては、駆動用ソレノイドへの通電によって発生する磁束が球通路内にまで比較的大きな磁束密度で侵入してしまい、それによって、二つの遊技球が互いに接触した状態で駆動用ソレノイドの軸方向両端部付近で一旦停止してしまった場合には、それら二つの遊技球によって磁気回路の一部が構成されて磁束がそれら二つの遊技球を通ることとなり、その結果、それら二つの遊技球が磁束の影響を受けて球通路で停留することとなるが、本態様に従えば、駆動用ソレノイドへの通電によって発生する磁束が遮蔽プレートを通ることから球通路内に磁束が漏れ難くすることが可能となり、それによって、遊技球、特に、互いに接触した二つの遊技球が球通路において停留するという現象を回避することが可能となる。
【００１７】
また、本態様の可変入賞装置においては、球通路において遊技球が停留し難いようにすることが可能となり、それによって、例えば、駆動用ソレノイドへの通電が所定個数の遊技球が入賞すると中止されるようになっている場合において、駆動用ソレノイドへの通電が終了した後に遊技球の検出が行われ難いようにすることが可能となる。その結果、設計者が予め設定した数以上の遊技球が入賞し難い可変入賞装置を提供することが可能となる。
【００１８】
なお、本態様において、「遊技球の流動方向を変化させる被駆動部材」というのは、開口部の付近に配設されて変位せしめられることにより遊技球の遊技球の流動方向を変化させるものをいい、例えば、入賞した遊技球の流動方向を変化させるものであっても良いし、遊技領域を流下する遊技球の流下方向を変化させるものであっても良い。より具体的には、例えば、駆動用ソレノイドへの通電が行われていない場合には開口部を閉鎖して遊技球の入賞を不可能にする一方、駆動用ソレノイドへの通電が行われている場合には開口部を開放して遊技球の入賞を可能にする部材であっても良いし、或いは、駆動用ソレノイドへの通電が行われていない場合であっても開口部を閉鎖せず遊技球の入賞を可能にすると共に、駆動用ソレノイドへの通電が行われている場合には開口部の大きさを駆動用ソレノイドへの通電が行われていない状態よりも大きくして、遊技球が入賞しやすくする部材であっても良い。また、入賞した遊技球を検出するための入賞検出手段が複数設けられており、それら複数の入賞検出手段の何れかが設けられたほうに遊技球を流れやすくするための振分部材であっても良い。
【００１９】
また、本態様における「球通路の壁部」とは、球通路において遊技球が接触する部分をいう。そこにおいて、球通路において遊技球が接触する部分というのは、球通路を通過する遊技球が必ず接触する底壁部分のみならず、球通路を通過する遊技球が接触する可能性がある側壁部分も含むものとする。
【００２０】
本発明の第二の態様は、前記第一の態様に係る可変入賞装置において、前記駆動用ソレノイドとして、導線が巻回されたコイルボビンの軸方向両側に配設されて該コイルボビンの軸方向で対向位置せしめられる一対の軸方向対向壁部と該コイルボビンの径方向外方に位置せしめられて該一対の軸方向対向壁部を連結する連結壁部を備えた強磁性材製のフレームを該コイルボビンに組み付けたものを採用し、該コイルボビンの径方向外方において該連結壁部が位置せしめられていない部分を前記球通路の壁部に対して対向位置せしめると共に、かかるコイルボビンの径方向外方において該連結壁部が位置せしめられていない部分を覆うようにして該遮蔽プレートを配設したことを特徴とする。このような本態様に従う構造とされた可変入賞装置においては、コイルボビンの軸方向両側に配設されてコイルボビンの軸方向で対向位置せしめられる一対の軸方向対向壁部とコイルボビンの径方向外方に位置せしめられて一対の軸方向対向壁部を連結する連結壁部を備えたフレームがコイルボビンに組み付けられていることから、コイルボビンに巻回された導線（コイル）への通電によって発生する磁束の大部分がフレームを通ることとなるが、一部の磁束は連結壁部を通らないで一方の軸方向壁部から空気中を通って他方の軸方向壁部に至るようになっている。
【００２１】
そこにおいて、このように磁束が空気中を通る場合には、磁束が通る面積は、磁束が強磁性材を通る場合よりも大きくなることから、空気中を通る磁束はコイルボビンの径方向外方に向かって膨らむようにして一方の軸方向壁部から他方の軸方向壁部に至ることとなる。
【００２２】
それ故、コイルボビンの径方向外方において連結壁部が位置せしめられていない部分が球通路の壁部に対向位置せしめられるように配設された場合には、磁束が球通路内に侵入しやすくなって、球通路を流動せしめられる遊技球に対して磁束の悪影響が及ぼされやすくなるが、本態様に従えば、フレームの連結壁部を通らないで空気中を通る磁束が遮蔽プレートを通るようになっており、それによって、球通路を流動せしめられる遊技球に対して磁束が悪影響を及ぼし難くすることが可能となる。
【００２３】
なお、本態様におけるフレームとしては、例えば、コイルボビンの軸方向両側に配設されてコイルボビンの軸方向で対向位置せしめられる一対の軸方向対向壁部と、コイルボビンの径方向外方に配設されると共に、一対の軸方向対向壁部に連結されて、コイルボビンの径方向で対向位置せしめられる一対の径方向対向壁部を備えたフレーム、所謂オープンフレームや、コイルボビンの軸方向両側に配設されてコイルボビンの軸方向で対向位置せしめられる一対の軸方向対向壁部と、コイルボビンの径方向外方に配設されて一対の軸方向対向壁部を連結する連結壁部を備えた、断面がコの字形状のフレーム等が採用される。そこにおいて、オープンフレームの場合、一対の径方向対向壁部によって連結壁部が構成されることとなる。
【００２４】
本発明の第三の態様は、前記第一又は第二の態様に係る可変入賞装置において、前記開口部を通じて外部に開放される凹室が設けられており、該凹室の奥底部分および奥壁部分によって前記球通路が構成されていると共に、該奥壁部分に前記遮蔽プレートが配設されていることを、特徴とする。このような本態様に従う構造とされた可変入賞装置においては、開口部を通じて外部に開放される凹室が設けられていると共に、かかる凹室の奥底部分および奥壁部分を含んで球通路が構成されている可変入賞装置が採用されていることから、一度に複数の遊技球が入賞した場合であっても、それら複数の遊技球が奥壁部分に衝突して遊技領域を流下していた際の勢いが弱められると共に、かかる奥壁部分を含んで構成されている球通路において複数の遊技球が速やかに整列されることとなり、それによって、複数の遊技球が入賞した場合であっても、それら複数の遊技球の球通路での流動をスムーズにすることが可能となる。
【００２５】
そこにおいて、このように奥壁部分に遊技球が衝突せしめられることで球通路において複数の遊技球が整列されるようになっている場合には、それら複数の遊技球が球通路において互いに接触した状態で一旦停止することもあるが、本態様に従えば、奥壁部分に遮蔽プレートが配設されていることから、駆動用ソレノイドへの通電によって生ぜしめられる磁束が球通路側に侵入し難くすることが可能となり、それによって、遊技球が球通路において停留してしまうという現象を回避することが可能となる。
【００２６】
本発明の第四の態様は、前記第三の態様に係る可変入賞装置において、前記駆動用ソレノイドおよび該駆動用ソレノイドへの通電に基づいて前記被駆動部材を駆動せしめるための駆動力伝達機構が前記凹室の前記奥壁部分に配設されており、それら駆動用ソレノイドおよび駆動力伝達機構の該奥壁部分に直交する方向への投影において、それら駆動用ソレノイドおよび駆動力伝達機構の何れもが該奥壁部分に重なるようにしたことを、特徴とする。このような本態様に従えば、駆動用ソレノイドおよび駆動力伝達機構を備えた状態の可変入賞装置の全体サイズをコンパクトにすることが可能となり、それによって、可変入賞装置を遊技領域に取り付ける際に可変入賞装置における凹室を構成する部分を挿通するための穴を遊技領域を形成する遊技板に設けるだけで、駆動用ソレノイドおよび駆動力伝達機構を備えた状態の可変入賞装置を遊技領域に取り付けることが可能となる。
【００２７】
本発明の第五の態様は、前記第一乃至第四の何れかの態様に係る可変入賞装置において、前記駆動用ソレノイドの軸方向寸法が前記球通路の通路方向長さよりも短くされていると共に、該駆動用ソレノイドの該球通路の通路方向に直交する方向への投影において該駆動用ソレノイドが軸方向全体に亘って該球通路の壁部に重ね合わせられることを、特徴とする。このような本態様に従う構造とされた可変入賞装置においては、球通路の通路長さが駆動用ソレノイドの軸方向長さよりも長くなっていることから、球通路の通路長さが十分に確保されることとなる。それ故、本態様に従えば、複数の遊技球が入賞したとしても、それら複数の遊技球を整列させた状態で球通路を通過させることが可能となる。
【００２８】
そこにおいて、このように球通路の通路方向に直交する方向での投影において、駆動用ソレノイドが軸方向全体に亘って球通路の壁部に重ね合わせられる、即ち、駆動用ソレノイドの軸方向両端部が球通路の壁部に近接されていることから、遊技球が球通路において一旦停止すると、遊技球が駆動用ソレノイドへの通電によって生ぜしめられる磁束の影響を受けて球通路において停留してしまう場合があるが、本態様に従えば、遮蔽プレートが配設されていることから、球通路を通過する遊技球が磁束の影響を受け難いようにすることが可能となる。
【００２９】
本発明の第六の態様は、前記第一乃至第五の何れかの態様に係る可変入賞装置において、前記球通路を通過する遊技球の前記遮蔽プレートに直交する方向への投影において該球通路を通過する遊技球の中心が該遮蔽プレートに重ね合わさるようにしたことを、特徴とする。このような本態様に従う構造とされた可変入賞装置においては、球通路の壁部において遊技球が接触する部分と駆動用ソレノイドとの間に遮蔽プレートが配設されていることから、駆動用ソレノイドへの通電によって生ぜしめられる磁束の影響を遊技球が受け難くなる。それ故、本態様に従えば、球通路での遊技球のスムーズな流動を確保することが可能となる。
【００３０】
即ち、遊技球の中心を通る大円は、遊技球が球通路の壁部に接触する部分であり、遊技球が球通路の壁部に接触しているということは、遊技球が球通路の壁部に最も近づいた状態であることから、本態様に従えば、このように最も球通路の壁部に近づいた遊技球に対しても駆動用ソレノイドの通電によって生ぜしめられる磁束の影響を受け難くすることが可能となる。
【００３１】
そこにおいて、本態様では、球通路を通過する遊技球の遮蔽プレートに直交する方向での投影において球通路を通過する遊技球の略全体が遮蔽プレートに重なるようにすることが望ましく、それによって、球通路を通過する遊技球が磁束の影響を受け難いようにすることが容易に可能となる。
【００３２】
本発明の第七の態様は、前記第一乃至第六の何れかの態様に係る可変入賞装置において、前記被駆動部材が前記開口部を閉鎖可能に配設された閉鎖扉であることを、特徴とする。
【００３３】
本発明の第八の態様は、前記第一乃至第六の何れかの態様に係るパチンコ機において、前記被駆動部材が前記球通路を通過する遊技球の通過方向を変更する通過方向変更部材であることを、特徴とする。
【００３４】
そこにおいて、「球通路を通過する遊技球の通過方向を変更する」とは、例えば、球通路の何れか一方の方向に向かって遊技球が流れるようにすることであっても良いし、球通路の通路長さを変更するものであっても良い。
【００３５】
また、本発明は、前記第一乃至第八の何れかの態様に係る可変入賞装置を備えたパチンコ機も特徴とする。
【発明の効果】
【００３６】
上述の説明から明らかなように、本発明に従う構造とされた可変入賞装置においては、球通路と駆動用ソレノイドの間において強磁性材によって形成された遮蔽プレートが配設されていることから、駆動用ソレノイドへの通電によって生ぜしめられる磁束が遮蔽プレートを通るようになり、それによって、球通路側に磁束が漏れ難くすること可能となり、その結果、球通路において遊技球が停留され難くすることが可能となる。
【発明を実施するための最良の形態】
【００３７】
以下。本発明を更に具体的に明らかにするために、本発明の実施形態について、図面を参照しつつ、詳細に説明する。
【００３８】
先ず、図１には、本発明の第一の実施形態の可変入賞装置としての大入賞口装置４４を備えたパチンコ機１０が示されている。このパチンコ機１０は、所謂第３種パチンコ機である。図１において、１２はパチンコ機の外枠であり、かかる外枠１２の前には、前面枠１４が蝶番を介して開閉自在に装着されている。また、前面枠１４には、ガラス扉１６が開閉自在に取り付けられている。
【００３９】
ガラス扉１６の下側には、前板１８が図示しない発射レールや打球杆を覆うように開閉可能に装着され、かかる前板１８の前面には、打球供給皿２０が設けられている。更に、前面枠１４の下部下側には、打球発射装置の一部を構成する打球発射ハンドル２２が設けられていると共に、打球供給皿２０で貯留できなくなった賞球を貯留する下皿２４が設けられている。
【００４０】
また、前面枠１４の後側に遊技盤２６が着脱可能に取り付けられている。遊技盤２６の前面には、レール２８が設けられており、かかるレール２８によって略円形に囲まれた領域が遊技領域３０とされている。この遊技領域３０には、その中央において、例えば、３列に配列された複数の普通図柄（図示せず）を上から下に循環移動させて変動表示する普通図柄表示装置３２が配設されている。また、普通図柄表示装置３２の下方には、図柄始動口３４が設けられており、かかる図柄始動口３４への遊技球の入賞に基づいて普通図柄表示装置３２での複数の普通図柄の変動表示が開始され、これら複数の普通図柄は、所定時間の変動表示が終了すると、停止表示されるようになっている。更に、図柄始動口３４の下方には、普通図柄表示装置３２における複数の普通図柄の停止表示態様に基づいて開閉される一対の羽根３６，３６を供えた特定入賞口装置３８が設けられており、かかる一対の羽根３６，３６が開いた状態でのみ特定入賞口装置３８への遊技球の入賞が可能とされている。
【００４１】
また、普通図柄表示装置３２の右側には、図示しない遊技球誘導部が回動可能に配設された第３種始動口４０が設けられている。更に、第３種始動口４０の下方には、特定入賞口装置３８内に設けられた特定領域（図示せず）を遊技球が通過して権利が発生した状態で第３種始動口４０に遊技球が入賞した場合に開閉制御される被駆動部材としての開閉扉４２を有する大入賞口装置４４が設けられている。
【００４２】
この大入賞口装置４４は、図２乃至１０に示されているように、略一定の矩形断面で開口する本体枠４６の一方の開口部４８ａに対して外方に広がる取付板５０が一体形成された本体部材５２と、かかる本体部材５２における本体枠４６の他方の開口部４８ｂを覆うようにしてビス止め等により固定的に取り付けられる奥壁部材５４を含んで構成されている。即ち、本実施形態では、本体部材５２に対して奥壁部材５４が固定的に取り付けられることで、奥壁部材５４における本体枠４６の他方の開口部４８ｂを覆蓋している部分によって奥壁５６が構成されていると共に、本体枠４６によって側壁が構成された凹室５８が形成されている。このことから明らかなように、本実施形態では、本体枠４６の一方の開口部４８ａによって大入賞口装置４４の入口が構成されている。
【００４３】
このようにして形成された凹室５８の右奥隅、即ち、奥壁部材５４において奥壁５６を構成している部分の右隅は、更に奥に向かって突出せしめられており、かかる突出部分によって下方に向かって開口するポケット部６０が形成されている。そして、ポケット部６０の下方には、本体部材５２と奥壁部材５４によって固定的に支持された近接スイッチ６２の検出部６４が位置せしめられており、かかる近接スイッチ６２の検出部６４を通過した遊技球は、検出部６４の下方に配設される図示しない排出路を通って、遊技盤２６の裏側に配設された賞球樋（図示せず）に案内されるようになっている。
【００４４】
さらに、凹室５８の奥壁５６、即ち、奥壁部材５４における奥壁５６を構成している部分には、本体枠４６の一方の開口部４８ａに向かって突出する平板形状の案内壁６６が一体形成されており、特に、本実施形態では、案内壁６６の突出高さは遊技球の直径と略同じ程度の大きさとされている。この案内壁６６には、奥壁５６におけるポケット部６０が形成された側に向かって僅かに傾斜している第一の傾斜部６８が設けられており、それによって、案内壁６６における第一の傾斜部６８に載った遊技球がポケット部６０のほうに向かって流れやすくなっている。また、案内壁６６には、ポケット部６０の前方において、ポケット部６０側に向かって傾斜している第二の傾斜部７０が設けられており、それによって、案内壁６６における第二の傾斜部７０に載った遊技球がポケット部６０のほうに向かって流れやすくなっている。
【００４５】
すなわち、本実施形態では、案内壁６６における第一の傾斜部６８と奥壁５６によって凹室５８の奥壁５６に沿って遊技球を奥壁５６におけるポケット部６０が形成された部分まで案内する第一の球通路７２が構成されていると共に、案内壁６６における第二の傾斜部７０と本体枠４６によって構成された凹室５８の右側壁７４によって本体枠４６の右側壁７４に沿って遊技球をポケット部６０まで案内する第二の球通路７６が構成されており、これら第一および第二の球通路７２，７６によって遊技球が通過する球通路７８が構成されている。このことから明らかなように、本実施形態では、案内壁６６によって凹室５８の奥底部分が構成されており、このように案内壁６６によって構成される凹室５８の奥底部分というのは、上げ底になっている。
【００４６】
また、奥壁部材５４の後方には、駆動用ソレノイドとしての駆動ソレノイド８０が取付部材８２を介して固定的に取り付けられている。この駆動ソレノイド８０は、従来から公知のものであるが、簡単に説明すると、コイルボビン８１に巻回されたワイヤ８３（コイル）への通電によって、コイルボビン８１の中心孔に挿通配置されたプランジャ８４がコイルスプリング８６の付勢力に抗して引っ込む一方、コイル８３への通電が中止された場合には、プランジャ８４がコイルスプリング８６の付勢力によって元の位置に戻るようになっているものである。また、コイルボビン８１には、鋼等の強磁性材によって形成されたフレーム８８が固定的に組み付けられている。このフレーム８８は、コイルボビン８１の軸方向両端面に重ね合わされる軸方向対向壁部９０，９０とコイルボビン８１の径方向で対向位置せしめられる径方向対向壁部９２，９２によって構成されており、全体として矩形枠体形状とされている。そこにおいて、軸方向対向壁部９０，９０の対向面間距離は、遊技球の直径の略２倍程度の大きさとされている。また、駆動ソレノイド８０における径方向対向壁部９２，９２の対向方向の寸法は、本体枠４６の上下方向の寸法よりも小さくされている。
【００４７】
このような駆動ソレノイド８０は、フレーム８８の一方の開口端面９４が、奥壁５６に対して近接位置せしめられた状態で、奥壁部材５４の後方に取り付けられており、特に、本実施形態では、かかる奥壁５６とフレーム８８の一方の開口端面９４との隙間寸法は、遊技球９６の半径よりも十分に小さくされている。また、駆動ソレノイド８０は、プランジャ８４の変位方向が凹室５８の左右方向となるように取り付けられている。更に、このように取り付けられた駆動ソレノイド８０におけるフレーム８８の径方向対向壁部９２，９２のうち上側に位置せしめられた径方向対向壁部９２は、本体枠４６の外面よりも上方に突出しないようになっており、本実施形態では、上側に位置せしめられた径方向対向壁部９２の外面と本体枠４６の外面は、上下方向において略同じ高さに位置せしめられている。更にまた、駆動ソレノイド８０におけるフレーム８８は、奥壁５６の長手方向の中央部分に位置せしめられており、特に、本実施形態では、奥壁５６に直交する方向への投影で、奥壁５６における案内壁６６（第一の傾斜部６８）が突設された部分に重ね合わさるようになっている。また、駆動ソレノイド８０におけるフレーム８８は、その大部分が、奥壁５６に突設されている案内壁６６よりも上方に位置せしめられている。そして、駆動ソレノイド８０におけるワイヤ８３が巻きまわされているコイルボビン８１は、案内壁６６（第一の傾斜部６８）よりも上方に位置せしめられている。
【００４８】
このようにして奥壁５６に近接位置せしめられた駆動ソレノイド８０におけるフレーム８８の開口端面９４と奥壁５６の間には、矩形状の磁気遮蔽プレート９８が配設されている。この磁気遮蔽プレート９８は、鋼等の強磁性材によって形成されており、その長手方向の寸法は、駆動ソレノイド８０の軸方向寸法よりも十分大きくされており、特に、本実施形態では、フレーム８８における軸方向対向壁部９０，９０の対向面間距離よりも十分に大きくされている。また、磁気遮蔽プレート９８の幅方向の寸法は、フレーム８８における径方向対向壁部９２，９２の対向面間距離の略半分程度とされており、特に、本実施形態では、遊技球９６の直径と略同じとされている。更に、磁気遮蔽プレート９８の厚さ寸法は、駆動ソレノイド８０の奥壁部材５４の後方への突出量を必要以上に大きくしない程度の大きさであれば、特に限定されるものではないが、０．１〜０．５ｍｍが望ましい。０．５ｍｍよりも厚さ寸法が大きいと磁気遮蔽プレート９８の配設スペースの観点から望ましくなく、磁気遮蔽プレート９８の配設スペースを確保するために、駆動ソレノイド８０を奥壁部材５４の後方にずらして配設する必要が生じてくる。また、０．１ｍｍよりも厚さ寸法が小さいと駆動ソレノイド８０への通電によって生ぜしめられる磁界の磁束密度を磁気遮蔽プレート９８よりも第一の球通路７２側において十分に小さくすることが出来ない。因みに、本実施形態では、磁気遮蔽プレート９８の厚さ寸法は０．２ｍｍとされている。
【００４９】
そして、駆動ソレノイド８０の奥壁５６に直交する方向での投影において、駆動ソレノイド８０の軸方向両端部、特に、本実施形態では、フレーム８８における軸方向対向壁部９０，９０が、磁気遮蔽プレート９８に重ね合わさるようにして、磁気遮蔽プレート９８が奥壁５６の裏側（駆動ソレノイド８０が配設された側）に固着されている。そこにおいて、本実施形態では、磁気遮蔽プレート９８は、両面テープによって奥壁５６の裏側に接着されている。また、本実施形態では、駆動ソレノイド８０の奥壁５６に直交する方向での投影において、フレーム８８における径方向対向壁部９２，９２が、磁気遮蔽プレート９８に重ならないようにして、磁気遮蔽プレート９８が配設されている。特に、本実施形態では、磁気遮蔽プレート９８は、案内壁６６よりも上方に位置せしめられている。更に、本実施形態では、磁気遮蔽プレート９８は、フレーム８８の開口端面９４には、当接しておらず、磁気遮蔽プレート９８とフレーム８８の開口端面９４との間には、僅かな隙間が形成されている。更にまた、本実施形態では、第一の球通路７２を通過する遊技球９６の磁気遮蔽プレート９８への投影において、第一の球通路７２を通過する遊技球９６の中心が磁気遮蔽プレート９８に重なるようになっている。即ち、本実施形態では、第一の球通路７２を通過する遊技球９６における奥壁５６に接触する部分が、磁気遮蔽プレート９８への投影において磁気遮蔽プレート９８に重なるようになっている。
【００５０】
上述の如く、奥壁５６の裏側に配設された駆動ソレノイド８０のプランジャ８４は、図１１および図１２にも示されているように、その頭部が奥壁５６の裏側に突設された支軸１００の回りに揺動可能に配設された揺動軸１０２に対して一体形成された一対の係止片１０４，１０４の間に位置せしめられている。また、揺動軸１０２には、支軸１００の基端側において、径方向外方に突出する操作部１０６が一体形成されており、かかる操作部１０６の突出先端側において奥壁５６側に突出した操作ロッド１０８が奥壁５６に形成された挿通孔１１０を通って凹室５８内に侵入している。このようにして凹室５８内に位置せしめられている操作ロッド１０８の突出先端部分が、下端部を中心にして回動可能な状態で本体枠４６の一方の開口部４８を閉鎖するように配設された開閉扉４２における長手方向一方の端部に形成された一対の係止爪１１２，１１２の間に位置せしめられている。そこにおいて、挿通孔１１０は、凹室５８内に侵入している操作ロッド１０８が遊技球の球通路７８の通過を邪魔しないような位置に形成されており、特に、本実施形態では、挿通孔１１０は、案内壁６６よりも更に凹室５８の左側壁１１４のほうに形成されている。
【００５１】
そして、駆動ソレノイド８０のコイルへ通電が行われると、プランジャ８４の突出方向への変位によってプランジャ８４の頭部が一方の係止片１０４に当接せしめられることで揺動軸１０２が支軸１００回りで一方向に変位せしめられる。このように揺動軸１０２が支軸１００回りで一方向に変位せしめられることで、操作ロッド１０８が一方の係止爪１１２（上側の係止爪１１２）に押さえつけられるように当接せしめられる。これにより、開閉扉４２が下端部を中心にして前方に傾くように回動せしめられて、開閉扉４２によって閉鎖されていた開口部４８ａ（大入賞口装置４４の入口）が開放される。
【００５２】
一方、駆動ソレノイド８０のコイルへの通電が停止されると、プランジャ８４の引っ込み方向へ変位せしめられて、プランジャ８４の頭部が他方の係止片１０４に当接せしめられることで揺動軸１０２が支軸１００の回りで他方向に変位せしめられる。このように揺動軸１０２が支軸１００回りで他方向に変位せしめられることで操作ロッド１０８が他方の係止爪１１２（下側の係止爪１１２）に押さえつけられるように当接せしめられる。これにより、開閉扉４２が下端部を中心にして逆方向に回動せしめられて元の位置に戻ることとなり、その結果、開口部４８ａ（大入賞口装置４４の入口）が開閉扉４２によって閉鎖される。
【００５３】
このことから明らかなように、本実施形態では、揺動軸１０２によって動力伝達機構が構成されている。また、上述の如く奥壁５６の裏側に配設された駆動ソレノイド８０および揺動軸１０２は、奥壁５６に直交する方向への投影において、奥壁部材５４における奥壁５６を構成している板状部分、即ち、本体枠４６の他方の開口部４８ｂを閉鎖して奥壁５６を構成している部分に重なるようになっている。
【００５４】
このような構造とされた大入賞口装置４４は、取付板５０に形成された取付孔１１５に挿通されるネジ（図示せず）によって遊技領域３０の所定位置に固定的に取り付けられるようになっている。そこにおいて、大入賞口装置４４は、奥壁５６の裏側に駆動ソレノイド８０および揺動軸１０２が配設された状態で、図１３に示されているように、遊技領域３０を構成する遊技板１１６に形成された挿通孔１１８に対して、奥壁部材５４が取り付けられた側から本体枠４６が挿通配置される。なお、図１３中では、駆動ソレノイド８０の裏側に配設される部材（例えば、基板ケース）等の図示および遊技領域３０に突設された遊技釘等の図示は省略している。
【００５５】
そして、上述の如き大入賞口装置４４を備えた本実施形態のパチンコ機１０においては、権利発生中に第３種始動口４０に遊技球が入賞すると、駆動ソレノイド８０への通電が開始されて、開閉扉４２が開いた状態となる。遊技領域３０を流下せしめられてきた遊技球が開閉扉４２に衝突すると、遊技球は、流下してきた勢いが弱められると共に、その流下する方向が変化せしめられて、大入賞口装置４４の入口（本体枠４６の一方の開口部４８ａ）から凹室５８内に入ってくる。凹室５８内に入ってきた遊技球は、奥壁５６に衝突して更に勢いが弱められる。奥壁５６に衝突した遊技球は、第一の傾斜部６８の傾斜方向に転がることにより、第一の球通路７２を通って奥壁５６におけるポケット部６０が形成された側に案内される。このように第一の球通路７２を通って奥壁５６におけるポケット部６０が形成された側に案内されてきた遊技球は、凹室５８の右側壁７４に衝突した後、第二の傾斜部７０の傾斜方向に沿って転がることにより、第二の球通路７６を通ってポケット部６０まで案内される。そして、第一の球通路７２および第二の球通路７６を通ってポケット部６０まで案内された遊技球は、ポケット部６０の下方に配設された近接スイッチ６２によって検出されるようになっており、このように近接スイッチ６２が凹室５８内に入ってきた遊技球を検出することで、大入賞口装置４４に入賞した遊技球の個数がカウントされるようになっている。また、このように近接スイッチ６２が大入賞口装置４４に入賞した遊技球をカウントすることで、予め定められた個数の賞球（遊技球が）が払い出されるようになっている。
【００５６】
そこにおいて、本実施形態では、第一の球通路７２を構成する奥壁５６の裏側において、駆動ソレノイド８０のフレーム８８における開口端面９４と対向位置せしめられるように、磁気遮蔽プレート９８が固着されていることから、駆動ソレノイド８０の通電によって生ぜしめられる磁束が専ら磁気遮蔽プレート９８を通るようになり、それによって、第一の球通路７２側に磁束が漏れ難くすることが出来る。その結果、第一の球通路７２において、特に、駆動ソレノイド８０の軸方向両端部分（フレーム８８の軸方向対向壁部９０，９０）が奥壁５６の裏側に位置せしめられた部分で、互いに接触し、且つ、奥壁５６にもそれぞれ接触した状態で一旦停止した後に転がる二つの遊技球が磁束の影響を受けて第一の球通路において停留しないようにして、第一の球通路７２での遊技球の流動をスムーズにすることが出来る。
【００５７】
また、本実施形態では、駆動ソレノイド８０の磁気遮蔽プレート９８への投影においてフレーム８８の軸方向対向壁部９０，９０が磁気遮蔽プレート９８に重なるようになっていることから、駆動ソレノイド８０への通電によって生ぜしめられる磁束が第一の球通路７２に漏れにくいようにすることが可能となる。
【００５８】
更にまた、本実施形態においては、第一の球通路７２において遊技球が停留し難くなっていることから、設計者が予め設定した個数以上の遊技球が近接スイッチ６２によって検出され難くすることが出来る。
【００５９】
さらに、本実施形態では、奥壁５６の裏側に配設された駆動ソレノイド８０および揺動軸１０２の奥壁５６に直交する方向の投影において、それら駆動ソレノイド８０および揺動軸１０２が何れも奥壁部材５４における奥壁５６を構成している板状部分に対して重なるようになっていることから、遊技板１１６に形成されている挿通孔１１８の断面を奥壁部材５４における奥壁５６を構成している板状部分の大きさよりも一回り大きい程度の大きさ、即ち、大入賞口装置４４を遊技領域３０に取り付けるための必要最小限の大きさにすることが可能となり、それによって、挿通孔１１８の形成に要する時間を短くすることが可能となり、その結果、パチンコ機１０の組立作業性を向上することが可能となる。
【００６０】
更にまた、本実施形態では、プランジャ８４が凹室５８の左右方向に変位するようにして駆動ソレノイド８０が奥壁５６の裏側に配設されていることから、大入賞口装置４４の遊技盤２６、即ち、遊技板１１６の裏側への突出量を抑えることが可能となり、それによって、パチンコ機１０の裏側、特に、遊技盤２６の裏側に配設される各種部材（例えば、普通図柄表示装置３２への普通図柄の変動表示および停止表示を制御するためのＣＰＵ等が実装された制御基板を収容するための制御基板ケース等）の配設レイアウトに悪影響を与えないようにすることが可能となり、それによって、パチンコ機１０の裏側に配設される各種部材の配設レイアウトの設計自由度を向上することが可能となる。
【００６１】
なお、本実施形態のように駆動ソレノイド８０をプランジャ８４が凹室５８の左右方向に変位するように取り付けないで、プランジャ８４が凹室５８の上下方向に変位するように取り付けることも考えられるが、駆動ソレノイド８０の駆動力を開閉扉４２に伝達する駆動力伝達機構が複雑な構造となったり、或いは、駆動ソレノイド８０や駆動ソレノイド８０の駆動力を開閉扉４２に伝達する駆動力伝達機構が組み付けられた状態で、大入賞口装置４４を遊技領域３０に取り付けることが出来なくなるおそれがあるが、本実施形態のように、駆動ソレノイド８０のプランジャ８４が凹室５８の左右方向に変位するように取り付けることで、駆動ソレノイド８０および駆動ソレノイド８０の駆動力を開閉扉４２に伝達する駆動力伝達機構を構成する部材（本実施形態では、揺動軸１０２）が組み付けられた大入賞口装置４４を遊技領域３０に取り付けることが出来る。
【００６２】
次に、本発明の第二の実施形態の可変入賞装置としての大入賞口装置１２２について、図１４乃至図１６に基づいて説明する。なお、以下の説明において、第一の実施形態と同様な構造とされた部材および部位については、図中に、第一の実施形態と同一の符号を付すことにより、その詳細な説明を省略する。
【００６３】
この大入賞口装置１２２は、第１種パチンコ機に採用されるものであって、大入賞口装置１２２を遊技領域（図示せず）に取り付けるための取付板１２４および取付板１２４に形成された開口１２６の周縁部から取付板１２４の厚さ方向一方の側に延びる枠体１２８を有する本体部１３０と、枠体１２８における取付板１２４が設けられたほうと反対側の開口１３２を閉鎖するように取り付けられた開口閉鎖板１３４を含んで構成されており、このように開口閉鎖板１３４によって枠体１２８の開口１３２が閉鎖されることで枠体１２８によって側壁部分が構成されていると共に、開口閉鎖板１３４によって奥壁部分が構成された凹室１３６が形成されている。また、凹室１３６の開口、即ち、取付板１２４に形成された開口１２６には、閉鎖扉としての開閉扉１３８が下端部分を中心にして回動可能に配設されている。これにより、大入賞口装置１２２は、開閉扉１３８が開いた状態で遊技球の入賞が可能とされている一方、開閉扉１３８が閉じた状態で遊技球の入賞が不可能とされている。なお、開閉扉１３８を駆動するための扉ソレノイド１４０は、開口閉鎖板１３４の裏側に配設されており、かかる扉ソレノイド１４０への通電に基づいて開閉扉１３８が開くようになっている。
【００６４】
また、開口閉鎖板１３４には、取付板１２４側に向かって突出する板状の第一乃至第三の突出部１４２，１４４，１４６が一体形成されている。第一の突出部１４２は、開口閉鎖板１３４の左側から右側に行くに従って下側に向かって僅かに傾斜していると共に、その左端は屈曲されて、上側に延びている。第二の突出部１４４は、第一の突出部１４２の右端の下方において、上下方向に向かって延びている。第三の突出部１４６は、第二の突出部１４４の右側において、第二の突出部１４４に平行となるようにして、上下方向に延びている。
【００６５】
このように開口閉鎖板１３４に一体形成された第一の突出部１４２と開口閉鎖板１３４における第一の突出部１４２よりも上方に位置せしめられる部分によって第一の球通路１４８が形成されている。また、第二の突出部１４４と第三の突出部１４６と開口閉鎖板１３４における第二の突出部１４４と第三の突出部１４６の間に位置せしめられる部分によって第二の球通路１５０が形成されている。更に、第三の突出部１４６と凹室１３６の右側壁と開口閉鎖板１３４における第三の突出部１４６と凹室１３６の右側壁の間に位置せしめられる部分によって第三の球通路１５２が形成されている。そして、第一の球通路１４８を流れてきた遊技球は、第二の球通路１５０又は第三の球通路１５２の何れかを通るようになっており、これら第二および第三の球通路１５０，１５２には、それぞれ、近接スイッチ１５４，１５６が配設されており、遊技球の通過が検出されるようになっている。
【００６６】
また、開口閉鎖板１３４には、第一の球通路１４８の右端下方から第二の球通路１５０の入口上方にかけて挿通孔１５８が形成されている。挿通孔１５８には、可動片１６０が凹室１３６内に突出するようにして挿通されている。可動片１６０は、挿通孔１５８の左右方向、即ち、第一の球通路１４８の右端下方から第二の球通路１５０の入口上方にかけて移動可能とされている。
【００６７】
このように変位可能に配設された可動片１６０は、図１７乃至図１９に示されているように、駆動ソレノイド８０のプランジャ８４に固定されており、かかる駆動ソレノイド８０は、開口閉鎖板１３４の裏側において取付部材８２を介して取り付けられている。そして、駆動ソレノイド８０への通電が行われると、図１９に示されているように、プランジャ８４がコイルスプリング８６の付勢力に抗して引っ込み方向に変位せしめられる。一方、駆動ソレノイド８０への通電が行われないと、コイルスプリング８８の付勢力によってプランジャ８４は突出方向に変位せしめられる。これにより、可動片１６０が挿通孔１５８内において第一の球通路１４８の右端下方と第二の球通路１５０の入口上方の間で駆動変位される。即ち、駆動ソレノイド８０への通電が行われていない状態では、可動片１６０は、第二の球通路１５０の入口上方に位置せしめられており、それによって、遊技球が第二の球通路１５０を流れることが出来ないようになっている。一方、駆動ソレノイド８０への通電が行われている状態では、可動片１６０は第一の球通路１４８の右端下方に位置せしめられており、それによって、遊技球が第二の球通路１５０を流れることが出来るようになっている。なお、駆動ソレノイド８０への通電は、開閉扉１３８が開いた状態で第三の球通路１５２に配設された近接スイッチ１５６が遊技球の通過を検出することによって開始され、開閉扉１３８が閉じることで終了するように制御される。
【００６８】
そこにおいて、本実施形態では、駆動ソレノイド８０は、第一の球通路１４８の裏側に位置せしめられており、開口閉鎖板１３４において駆動ソレノイド８０の開口端面９４と対向位置せしめられる部分に対して磁気遮蔽プレート９８が両面テープで取り付けられている。磁気遮蔽プレート９８は、長手方向の寸法が、駆動ソレノイド８０の軸方向長さよりも十分大きくされており、駆動ソレノイド８０の磁気遮蔽プレート９８への投影において、駆動ソレノイド８０の軸方向両端部分は、磁気遮蔽プレート９８に重なるようになっている。また、磁気遮蔽プレート９８の幅方向の寸法は、フレーム８８の径方向対向壁部９２，９２の対抗面間距離と略同じ程度の大きさとされており、駆動ソレノイド８０の磁気遮蔽プレート９８への投影において、駆動ソレノイド８０のコイル８３が巻回された部分が磁気遮蔽プレート９８に重なるようになっている。
【００６９】
このような構造とされた大入賞口装置１２２においては、開口１２６から凹室１３６内に入ってきた遊技球は、先ず、開口閉鎖板１３４に衝突して、第一の球通路１４８上に位置せしめられた後、第一の球通路１４８を流れる。そして、第三の球通路１５２に配設された近接スイッチ１５６が遊技球の通過を検出していない状態では、可動片１６０が第二の球通路１５０の入口上方に位置せしめられており、それによって、第一の球通路１４８を流れてきた遊技球は、第三の球通路１５２を流れることとなり、近接スイッチ１５６が遊技球の通過を検出することで所定個数の遊技球が払い出されるようになっている。一方、第三の球通路１５２に配設された近接スイッチ１５６が遊技球の通過を検出した場合には、可動片１６０が第一の球通路１４８の右端下方に位置せしめられており、それによって、第一の球通路１４８を流れてきた遊技球は、第二の球通路１５０を流れやすくなる。そして、近接スイッチ１５４が遊技球の通過を検出すると、所定個数の遊技球の払出が行われるようになっている。
【００７０】
そこにおいて、第三の球通路１５２に配設された近接スイッチ１５６が遊技球の通過を検出すると、可動片１６０が第一の球通路１４８の右端下方に位置せしめられる、即ち、駆動ソレノイド８０への通電が行われることとなり、駆動ソレノイド８０への通電によって生ぜしめられる磁束が第一の球通路１４８側を通るようになってくるが、本実施形態では、磁気遮蔽プレート９８が配設されていることから、磁束が磁気遮蔽プレート９８を通ることとなり、第一の球通路１４８を流れる遊技球に対して磁束の悪影響が及ぼされにくくすることが可能となる。
【００７１】
以上、本発明の一実施形態について詳述してきたが、これはあくまでも例示であって、本発明は、かかる実施形態における具体的な記載によって、何等、限定的に解釈されるものではない。
【００７２】
例えば、前記第一の実施形態では、磁気遮蔽プレート９８は、両面テープによって奥壁５６の裏側に貼りつけられていたが、図２０に示されているように、奥壁５６の裏側にポケット状に開口せしめられる収納部１２０を設け、かかる収納部１２０に磁気遮蔽プレート９８をスライドして嵌め込むことで、磁気遮蔽プレート９８を奥壁５６の裏側に配設するようにしても良い。なお、図２０では、収納部１２０は、上側に開口するように設けられているが、右側乃至は左側に開口していても良い。また、収納部１２０における奥壁５６と対向位置せしめられる部分には、駆動ソレノイド８０に対して磁気遮蔽プレート９８を露出せしめるための窓が形成されていても良い。
【００７３】
さらに、図２１に示されているように、駆動ソレノイド８０を奥壁５６の裏側に取り付けるための取付部材８２に対して磁気遮蔽プレート９８を予め固定しておき、かかる取付部材８２を奥壁５６の裏側に取り付けることで駆動ソレノイド８０と磁気遮蔽プレート９８を奥壁５６の裏側に配設するようにしても良い。
【００７４】
なお、図２０及び図２１においては、理解を容易にするために、前記第一の実施形態と同様な構造とされた部材および部位について、図中に、前記実施形態と同一の符号を付してある。
【００７５】
更にまた、奥壁５６に磁気遮蔽プレート９８をインモールド成形することも勿論可能であり、それによって、大入賞口装置４４を組み立てる際に、磁気遮蔽プレート９８を配設する必要がなくなり、大入賞口装置４４の組立作業を効率良く行うことが可能となる。
【００７６】
また、奥壁５６を可視光線に対して透明な材料によって形成すると共に、磁気遮蔽プレート９８において奥壁５６に重ね合わせられる面に模様や文字等を付しておくことにより、開閉扉４２が開いた状態での大入賞口装置４４の意匠性を向上することが可能となる。
【００７７】
加えて、前記第一および第二の実施形態では、第３種パチンコ機の大入賞口装置および第１種パチンコ機の大入賞口装置に対して、本発明を適用したものの具体例が示されていたが、本発明は、所謂チューリップ型の入賞口装置に対しても、勿論、適用可能である。
【００７８】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００７９】
【図１】本発明の第一の実施形態としての大入賞口装置を備えたパチンコ機を示す正面図である。
【図２】第一の実施形態の大入賞口装置の正面図であって、開閉扉が閉じた状態を示すものである。
【図３】図２に示された大入賞口装置の平面図であって、開閉扉が閉じた状態を示すものである。
【図４】図２に示された大入賞口装置の背面図であって、開閉扉が閉じた状態を示すものである。
【図５】図２に示された大入賞口装置の右側面図であって、開閉扉が閉じた状態を示すものである。
【図６】図２に示された大入賞口装置の斜視図であって、開閉扉が閉じた状態を示すものである。
【図７】図２に示された大入賞口装置の斜視図であって、開閉扉が開いた状態を示すものである。
【図８】図２に示された大入賞口装置の背面図であって、開閉扉が開いた状態を示すものである。
【図９】図２に示された大入賞口装置の開閉扉が開いた状態での縦断面図であって、図１０におけるＩＸ−ＩＸ断面に相当する図である。
【図１０】図９におけるＸ−Ｘ断面図である。
【図１１】図２に示された大入賞口装置に設けられた開閉扉の駆動機構を説明するための斜視図であって、開閉扉が閉じた状態を説明するためのものである。
【図１２】図２に示された大入賞口装置に設けられた開閉扉の駆動機構を説明するための斜視図であって、開閉扉が開いた状態を説明するためのものである。
【図１３】大入賞口装置が遊技領域に取り付けられた状態を説明する断面図であって、図２におけるＸＩＩＩ−ＸＩＩＩ方向の断面に相当する図である。
【図１４】本発明の第二の実施形態としての大入賞口装置を示す斜視図であって、開閉扉が開いた状態を示すものである。
【図１５】図１４に示された大入賞口装置の正面図であって、凹室内を説明するために、凹室の前方に位置する開閉扉等を取り除いた状態を示す図面である。
【図１６】図１５におけるＸＶＩ−ＸＶＩ断面図である。
【図１７】可動片が駆動ソレノイドのプランジャに取り付けられた状態を示す平面図であって、通電が行われていない状態を示すものである。
【図１８】可動片が駆動ソレノイドのプランジャに取り付けられた状態を示す正面図であって、通電が行われていない状態を示すものである。
【図１９】可動片が駆動ソレノイドのプランジャに取り付けられた状態を示す正面図であって、通電が行われている状態を示すものである。
【図２０】磁気遮蔽プレートの別の配設状態を説明するための要部拡大断面図であって、図１０におけるＩＸ−ＩＸ方向に相当する図である。
【図２１】磁気遮蔽プレートの更に別の配設状態を説明するための要部拡大断面図であって、図１０におけるＩＸ−ＩＸ方向に相当する図である。
【符号の説明】
【００８０】
１０  パチンコ機
３０  遊技領域
４４  大入賞口装置
５６  奥壁
７２  第一の球通路
８０  駆動ソレノイド
９８  磁気遮蔽プレート
【図１】
2005168914.tif 000003
【図２】
2005168914.tif 000004
【図３】
2005168914.tif 000005
【図４】
2005168914.tif 000006
【図５】
2005168914.tif 000007
【図６】
2005168914.tif 000008
【図７】
2005168914.tif 000009
【図８】
2005168914.tif 000010
【図９】
2005168914.tif 000011
【図１０】
2005168914.tif 000012
【図１１】
2005168914.tif 000013
【図１２】
2005168914.tif 000014
【図１３】
2005168914.tif 000015
【図１４】
2005168914.tif 000016
【図１５】
2005168914.tif 000017
【図１６】
2005168914.tif 000018
【図１７】
2005168914.tif 000019
【図１８】
2005168914.tif 000020
【図１９】
2005168914.tif 000021
【図２０】
2005168914.tif 000022
【図２１】
2005168914.tif 000023